(57)【要約】【課題】観察者がブラックマトリックス等の遮光部の像を認識することなく、高品質でスムーズな画質を得ることができる空間光変調装置及びプロジェクタを提供すること。【解決手段】空間光変調装置１１０Ｒは、プリズム群２１０を有する。そして、基準面９０１から平坦部９２０ｂまでの距離をｄ、入射光の波長をλ、プリズム素子の屈折率をｎとそれぞれするとき、以下のいずれかの条件式を満足することを特徴とする。ｄ＜０．９５×λ／（２×（ｎ−１））、ｄ＞１．０５×λ／（２×（ｎ−１））【選択図】      図１
2005037503.tif 000002
【特許請求の範囲】
【請求項１】
入射光を画像信号に応じて変調して射出する変調部と、
前記変調部の射出側に設けられ、前記変調部からの光を屈折する屈折部と、前記変調部からの光を透過する平坦部とを有する空間光変調装置であって、
前記変調部は、行列状に配列されている複数の画素部と、前記複数の画素部どうしの間に設けられている遮光部とを有し、
前記屈折部は、少なくとも屈折面を備えるプリズム素子からなるプリズム群を有し、
前記複数の画素部のうち一の前記画素部からの光は、前記複数のプリズム群のうちの少なくとも一部の前記プリズム群に入射し、
前記屈折面は、前記屈折部から所定距離だけ離れた投影面において、前記画素部の投影像を前記遮光部の投影像上へ導くような前記屈折面の向き、及び前記屈折面と光軸との交点で前記平坦部から最も離れた位置において前記光軸に略垂直方向に形成される基準面と、前記屈折面とのなす角度、を有し、
前記基準面から前記平坦部までの距離をｄ、
前記入射光の波長をλ、
前記プリズム素子の屈折率をｎとそれぞれするとき、以下のいずれかの条件式を満足することを特徴とする空間光変調装置。
（１）  ｄ＜０．９５×λ／（２×（ｎ−１））
（２）  ｄ＞１．０５×λ／（２×（ｎ−１））
【請求項２】
入射光を画像信号に応じて変調して射出する変調部と、
前記変調部の射出側に設けられ、前記変調部からの光を屈折する屈折部と、前記変調部からの光を透過する平坦部とを有する空間光変調装置であって、
前記変調部は、行列状に配列されている複数の画素部と、前記複数の画素部どうしの間に設けられている遮光部とを有し、
前記屈折部は、少なくとも屈折面を備えるプリズム素子からなるプリズム群を有し、
前記複数の画素部のうち一の前記画素部からの光は、前記複数のプリズム群のうちの少なくとも一部の前記プリズム群に入射し、
前記屈折面は、前記屈折部から所定距離だけ離れた投影面において、前記画素部の投影像を前記遮光部の投影像上へ導くような前記屈折面の向き、及び前記屈折面と、光軸に対し略垂直であり前記プリズム群が形成されている基板の一方の面である基準面とのなす角度、を有し、
前記基準面から前記平坦部までの距離と、前記基準面から前記屈折面上の所定位置までの距離と、がそれぞれ非周期的となるように形成されていることを特徴とする空間光変調装置。
【請求項３】
入射光を画像信号に応じて変調して射出する変調部と、
前記変調部の射出側に設けられ、前記変調部からの光を屈折する屈折部と、前記変調部からの光を透過する平坦部とを有する空間光変調装置であって、
前記変調部は、行列状に配列されている複数の画素部と、前記複数の画素部どうしの間に設けられている遮光部とを有し、
前記屈折部は、少なくとも屈折面を備えるプリズム素子からなるプリズム群を有し、
前記複数の画素部のうち一の前記画素部からの光は、前記複数のプリズム群のうちの少なくとも一部の前記プリズム群に入射し、
前記屈折面は、前記屈折部から所定距離だけ離れた投影面において、前記画素部の投影像を前記遮光部の投影像上へ導くような前記屈折面の向き、及び前記屈折面と前記平坦部とのなす角度、を有し、
前記プリズム群は、略直線の形状に沿って配列され、
前記略直線の数が単位面積あたりに１５本以下であることを特徴とする空間光変調装置。
【請求項４】
前記単位面積は、前記変調部へ入射光を供給する照明光学系の開口数と、前記変調部からの変調された射出光が入射する投写光学系の開口数とにより定まることを特徴とする請求項３に記載の空間光変調装置。
【請求項５】
光を供給する光源と、
請求項１〜３の何れか一項に記載の空間光変調装置と、
前記空間光変調装置からの光を投写するための投写レンズと、
を有することを特徴とするプロジェクタ。
【発明の詳細な説明】
【０００１】
【発明の属する技術分野】
本発明は、空間光変調装置及びプロジェクタ、特に、液晶空間光変調装置に関するものである。
【０００２】
【従来の技術】
画像表示装置として、液晶パネル（液晶表示装置）、ＣＲＴ表示装置、プラズマディスプレイ装置等のドットマトリックス画像表示装置が多く用いられている。ドットマトリックス画像表示装置は、二次元的に周期的に配列された多数の画素によって画像を表現する。この時、この周期的配列構造に起因する、いわゆるサンプリングノイズが発生し、画質が劣化する（画像がざらついて見える）現象がみられる。そして、画質が劣化する現象を低減する方法が提案されている（例えば、特許文献１参照）。
【０００３】
【特許文献１】
特開平８−１２２７０９号公報
【０００４】
【発明が解決しようとする課題】
ドットマトリックス画像表示装置においては、画素と画素との間に領域は、不要光を低減するためにブラックマトリックスと呼ばれる遮光部が設けられている。近年、画像表示装置の使用態様として、大画面を比較的近距離から観察する場合が多くなってきている。このため、観察者がブラックマトリックスの像を認識してしまう場合がある。このように、従来のドットマトリックス画像表示装置は、ブラックマトリックスの像のため、スムーズさの少ない画像、又はざらつきを有する画像等のように画質が劣化してしまう。上述の特許文献１では、ブラックマトリックスの像に起因する画質の劣化を低減することは困難である。
【０００５】
このため、観察者がブラックマトリックス等の遮光部を認識することがないように、画像表示装置からの光を、プリズム群へ入射させることが考えられる。プリズム群の平坦部は、画像表示装置からの光をそのまま透過させる。また、プリズム群の屈折部は、画像表示装置からの光を屈折させて透過させる。このような、プリズム群を透過した光は、平坦部を射出した後そのまま直進する光に加えて、プリズムの屈折部で光路を偏向された光も生ずる。光路を偏向された光により、画素像がブラックマトリックス上に形成される。これにより、ブラックマトリクスを認識することを低減できる。
【０００６】
しかしながら、プリズム群を構成する各プリズム素子の配列の周期的構造、又はプリズム素子の深さ、配列パターン、配列ピッチ等に起因して、回折光が生ずることがある。プリズム群からの回折光は、本来屈折させたい方向とは異なる方向に分散照射される。この回折光により、画像が不鮮明となり、画像の質を劣化させるので問題である。また、画像表示装置の所定の領域では回折光を生じ、他の領域では回折光を生じない場合、表示される画像は、例えば格子状に強度が不均一な画像となってしまうので画像の質が劣化して問題である。
【０００７】
本発明は、上述の問題点を解決するためになされたものであり、観察者がブラックマトリックス等の遮光部の像を認識することなく、高品質でスムーズな画質を得ることができる空間光変調装置及びプロジェクタを提供することを目的とする。
【０００８】
【課題を解決するための手段】
上記課題を解決し、目的を達成するために、第１の発明によれば、入射光を画像信号に応じて変調して射出する変調部と、前記変調部の射出側に設けられ、前記変調部からの光を屈折する屈折部と、前記変調部からの光を透過する平坦部とを有する空間光変調装置であって、前記変調部は、行列状に配列されている複数の画素部と、前記複数の画素部どうしの間に設けられている遮光部とを有し、前記屈折部は、少なくとも屈折面を備えるプリズム素子からなるプリズム群を有し、前記複数の画素部のうち一の前記画素部からの光は、前記複数のプリズム群のうちの少なくとも一部の前記プリズム群に入射し、前記屈折面は、前記屈折部から所定距離だけ離れた投影面において、前記画素部の投影像を前記遮光部の投影像上へ導くような前記屈折面の向き、及び前記屈折面と光軸との交点で前記平坦部から最も離れた位置において前記光軸に略垂直方向に形成される基準面と、前記屈折面とのなす角度、を有し、前記基準面から前記平坦部までの距離をｄ、前記入射光の波長をλ、前記プリズム素子の屈折率をｎとそれぞれするとき、以下のいずれかの条件式を満足することを特徴とする空間光変調装置を提供できる。
（１）  ｄ＜０．９５×λ／（２×（ｎ−１））
（２）  ｄ＞１．０５×λ／（２×（ｎ−１））
【０００９】
これにより、一の画素部からの光はプリズム群に入射する。プリズム群に入射した光は、プリズム素子の屈折面で屈折されて光路を所定方向へ折り曲げられる。このとき、屈折面の向き、及び屈折面と基準面とのなす角度に応じて、光路が折り曲げられる方向と、その大きさ（屈折角）とを制御できる。本発明では、屈折部から所定距離だけ離れた投影面において、屈折された光が形成する画素部の投影像が、遮光部の投影像上へ導かれるように構成されている。この結果、屈折部から所定距離だけ離れた投影面において、遮光部の投影像の領域に重畳的に画素部の投影像が形成される。従って、投影面において、観察者が遮光部を認識することなく、スムーズでざらつき感の低減された画像を観察できる。
【００１０】
また、プリズム群では、屈折面による屈折光と共に、プリズム群を構成する各プリズム素子の深さに起因して回折光を生ずる。本発明では、以下の条件式（１）又は（２）を満足する構成としている。
（１）  ｄ＜０．９５×λ／（２×（ｎ−１））
（２）  ｄ＞１．０５×λ／（２×（ｎ−１））
【００１１】
前記基準面から前記平坦部までの距離ｄは、次式（Ａ）、
（Ａ）  ｄ＝λ／（２×（ｎ−１））
の条件を満足すると、回折効率が向上してしまう。これに対して、本発明では、回折光を生じさせないこと、又は回折光が生じても観察者が認識しない程度であることが望ましい。このため、本発明では、条件式（１）又は（２）を満足することで、条件式（Ａ）で規定される深さｄと異ならせることができる。このため、観察者は、回折光が低減された品質の良い画像を観察できる。従って、本発明によれば、観察者はブラックマトリックス等の遮光部の像を認識することなく、高品質でスムーズな画質を観察できる
【００１２】
好ましくは、以下の条件式（３）又は（４）を満足することが望ましい。
（３）  ｄ＜０．９×λ／（２×（ｎ−１））
（４）  ｄ＞１．１×λ／（２×（ｎ−１））
さらに好ましくは、以下の条件式（５）又は（６）を満足することが望ましい。
（５）  ｄ＜０．７×λ／（２×（ｎ−１））
（６）  ｄ＞１．３×λ／（２×（ｎ−１））
上記条件式（３）〜（６）のいずれかを満足することで、プリズム素子からの回折光の強度をさらに小さくすることができる。これにより、さらに高品質な画像を得ることができる。
【００１３】
また、第２の発明によれば、入射光を画像信号に応じて変調して射出する変調部と、前記変調部の射出側に設けられ、前記変調部からの光を屈折する屈折部と、前記変調部からの光を透過する平坦部とを有する空間光変調装置であって、前記変調部は、行列状に配列されている複数の画素部と、前記複数の画素部どうしの間に設けられている遮光部とを有し、前記屈折部は、少なくとも屈折面を備えるプリズム素子からなるプリズム群を有し、前記複数の画素部のうち一の前記画素部からの光は、前記複数のプリズム群のうちの少なくとも一部の前記プリズム群に入射し、前記屈折面は、前記屈折部から所定距離だけ離れた投影面において、前記画素部の投影像を前記遮光部の投影像上へ導くような前記屈折面の向き、及び前記屈折面と、光軸に対し略垂直であり前記プリズム群が形成されている基板の一方の面である基準面のなす角度、を有し、前記基準面から前記平坦部までの距離と、前記基準面から前記屈折面上の所定位置までの距離と、がそれぞれ非周期的となるように形成されていることを特徴とする空間光変調装置を提供できる。
【００１４】
プリズム群により回折光が生ずる構造の一つとして、プリズム素子の周期的な構造を挙げることができる。第２の発明では、基準面から前記平坦部までの距離と、前記基準面とから前記屈折面上の所定位置までの距離と、がそれぞれ非周期的となるように形成されている。これにより、プリズム素子の周期的構造に起因する回折光の発生を低減することができる。この結果、観察者は、ブラックマトリックス等の遮光部の像を認識することなく、高品質でスムーズな画質を観察できる。
【００１５】
また、第３の発明によれば、入射光を画像信号に応じて変調して射出する変調部と、前記変調部の射出側に設けられ、前記変調部からの光を屈折する屈折部と、前記変調部からの光を透過する平坦部とを有する空間光変調装置であって、前記変調部は、行列状に配列されている複数の画素部と、前記複数の画素部どうしの間に設けられている遮光部とを有し、前記屈折部は、少なくとも屈折面を備えるプリズム素子からなるプリズム群を有し、前記複数の画素部のうち一の前記画素部からの光は、前記複数のプリズム群のうちの少なくとも一部の前記プリズム群に入射し、前記屈折面は、前記屈折部から所定距離だけ離れた投影面において、前記画素部の投影像を前記遮光部の投影像上へ導くような前記屈折面の向き、及び前記屈折面と前記平坦部とのなす角度、を有し、前記プリズム群は、略直線の形状に沿って配列され、前記略直線の数が単位面積あたりに１５本以下であることを特徴とする空間光変調装置を提供できる。
【００１６】
プリズム群により回折光が生ずる構造の一つとして、プリズム素子の配列の周期的な構造を挙げることができる。第３の発明では、プリズム群が略直線の形状に沿って配列されている場合、略直線の数が単位面積あたりに１５本以下である。これにより、プリズム素子の配列の周期的構造に起因する回折光の発生を低減することができる。この結果、観察者は、ブラックマトリックス等の遮光部の像を認識することなく、高品質でスムーズな画質を観察できる。
【００１７】
また、好ましくは、略直線の数が単位面積あたりに１０〜１２本であることが望ましい。さらに好ましくは、略直線の数が単位面積あたりに７〜９本であることが望ましい。これにより、プリズム素子の配列の周期的構造に起因する回折光の発生をさらに確実に低減することができる。
【００１８】
また、第３の発明の好ましい態様によれば、前記単位面積は、前記変調部へ入射光を供給する照明光学系の開口数と、前記変調部からの変調された射出光が入射する投写光学系の開口数とにより定まることが望ましい。これにより、必要最小限の単位面積において、プリズム素子の配列の周期的構造を制限すれば良い。この結果、プリズム群の屈折面による屈折作用を生じさせると同時に、回折光の発生を低減できる。従って、観察者は、ブラックマトリックス等の遮光部の像を認識することなく、高品質でスムーズな画質を観察できる。
【００１９】
また、第４の発明によれば、光を供給する光源と、上述の空間光変調装置と、空間光変調装置からの光を投写するための投写レンズとを有することを特徴とするプロジェクタを提供できる。これにより、ブラックマトリックス等の遮光部の像が認識されることなく、高品質でスムーズな画質の投写像を得ることができる。
【００２０】
【発明の実施の形態】
以下、添付図面を参照して、本発明の好適な実施形態を詳細に説明する。
（第１実施形態）
（プロジェクタ全体説明）
初めに図１を参照して、本発明の第１実施形態に係るプロジェクタの概略構成を説明する。次に、図２以降を参照して、本実施形態の特徴的な構成を説明する。まず、図１において、光源部である超高圧水銀ランプ１０１は、第１色光である赤色光（以下、「Ｒ光」という。）、第２色光である緑色光（以下、「Ｇ光」という。）、及び第３色光である青色光（以下、「Ｂ光」という。）を含む光を供給する。インテグレータ１０４は、超高圧水銀ランプ１０１からの光の照度分布を均一化する。照度分布を均一化された光は、偏光変換素子１０５にて特定の振動方向を有する偏光光、例えばｓ偏光光に変換される。ｓ偏光光に変換された光は、色分離光学系を構成するＲ光透過ダイクロイックミラー１０６Ｒに入射する。以下、Ｒ光について説明する。Ｒ光透過ダイクロイックミラー１０６Ｒは、Ｒ光を透過し、Ｇ光、Ｂ光を反射する。Ｒ光透過ダイクロイックミラー１０６Ｒを透過したＲ光は、反射ミラー１０７に入射する。反射ミラー１０７は、Ｒ光の光路を９０度折り曲げる。光路を折り曲げられたＲ光は、第１色光であるＲ光を画像信号に応じて変調する第１色光用空間光変調装置１１０Ｒに入射する。第１色光用空間光変調装置１１０Ｒは、Ｒ光を画像信号に応じて変調する透過型の液晶表示装置である。なお、ダイクロイックミラーを透過しても、光の偏光方向は変化しないため、第１色光用空間光変調装置１１０Ｒに入射するＲ光は、ｓ偏光光のままの状態である。
【００２１】
第１色光用空間光変調装置１１０Ｒは、λ／２位相差板１２３Ｒ、ガラス板１２４Ｒ、第１偏光板１２１Ｒ、液晶パネル１２０Ｒ、及び第２偏光板１２２Ｒを有する。液晶パネル１２０Ｒの詳細な構成については後述する。λ／２位相差板１２３Ｒ及び第１偏光板１２１Ｒは、偏光方向を変換させない透光性のガラス板１２４Ｒに接する状態で配置される。これにより、第１偏光板１２１Ｒ及びλ／２位相差板１２３Ｒが、発熱により歪んでしまうという問題を回避できる。なお、図１において、第２偏光板１２２Ｒは独立して設けられているが、液晶パネル１２０Ｒの射出面や、クロスダイクロイックプリズム１１２の入射面に接する状態で配置しても良い。
【００２２】
第１色光用空間光変調装置１１０Ｒに入射したｓ偏光光は、λ／２位相差板１２３Ｒによりｐ偏光光に変換される。ｐ偏光光に変換されたＲ光は、ガラス板１２４Ｒ及び第１偏光板１２１Ｒをそのまま透過し、液晶パネル１２０Ｒに入射する。液晶パネル１２０Ｒに入射したｐ偏光光は、画像信号に応じた変調により、Ｒ光がｓ偏光光に変換される。液晶パネル１２０Ｒの変調により、ｓ偏光光に変換されたＲ光が、第２偏光板１２２Ｒから射出される。このようにして、第１色光用空間光変調装置１１０Ｒで変調されたＲ光は、色合成光学系であるクロスダイクロイックプリズム１１２に入射する。
【００２３】
次に、Ｇ光について説明する。Ｒ光透過ダイクロイックミラー１０６Ｒで反射された、Ｇ光とＢ光とは光路を９０度折り曲げられる。光路を折り曲げられたＧ光とＢ光とは、Ｂ光透過ダイクロイックミラー１０６Ｇに入射する。Ｂ光透過ダイクロイックミラー１０６Ｇは、Ｇ光を反射し、Ｂ光を透過する。Ｂ光透過ダイクロイックミラー１０６Ｇで反射されたＧ光は、第２色光であるＧ光を画像信号に応じて変調する第２色光用空間光変調装置１１０Ｇに入射する。第２色光用空間光変調装置１１０ＧはＧ光を画像信号に応じて変調する透過型の液晶表示装置である。第２色光用空間光変調装置１１０Ｇは、液晶パネル１２０Ｇ、第１偏光板１２１Ｇ及び第２偏光板１２２Ｇを有する。液晶パネル１２０Ｇの詳細に関しては後述する。
【００２４】
第２色光用空間光変調装置１１０Ｇに入射するＧ光は、ｓ偏光光に変換されている。第２色光用空間光変調装置１１０Ｇに入射したｓ偏光光は、第１偏光板１２１Ｇをそのまま透過し、液晶パネル１２０Ｇに入射する。液晶パネル１２０Ｇに入射したｓ偏光光は、画像信号に応じた変調により、Ｇ光がｐ偏光光に変換される。液晶パネル１２０Ｇの変調により、ｐ偏光光に変換されたＧ光が、第２偏光板１２２Ｇから射出される。このようにして、第２色光用空間光変調装置１１０Ｇで変調されたＧ光は、色合成光学系であるクロスダイクロイックプリズム１１２に入射する。
【００２５】
次に、Ｂ光について説明する。Ｂ光透過ダイクロイックミラー１０６Ｇを透過したＢ光は、２枚のリレーレンズ１０８と、２枚の反射ミラー１０７とを経由して、第３色光であるＢ光を画像信号に応じて変調する第３色光用空間光変調装置１１０Ｂに入射する。第３色光用空間光変調装置１１０Ｂは、Ｂ光を画像信号に応じて変調する透過型の液晶表示装置である。
【００２６】
なお、Ｂ光にリレーレンズ１０８を経由させるのは、Ｂ光の光路の長さがＲ光及びＧ光の光路の長さよりも長いためである。リレーレンズ１０８を用いることにより、Ｂ光透過ダイクロイックミラー１０６Ｇを透過したＢ光を、そのまま第３色光用空間光変調装置１１０Ｂに導くことができる。第３色光用空間光変調装置１１０Ｂは、λ／２位相差板１２３Ｂ、ガラス板１２４Ｂ、第１偏光板１２１Ｂ、液晶パネル１２０Ｂ、及び第２偏光板１２２Ｂを有する。なお、第３色光用空間光変調装置１１０Ｂの構成は、上述した第１色光用空間光変調装置１１０Ｒの構成と同様なので、詳細な説明は省略する。
【００２７】
第３色光用空間光変調装置１１０Ｂに入射するＢ光は、ｓ偏光光に変換されている。第３色光用空間光変調装置１１０Ｂに入射したｓ偏光光は、λ／２位相差板１２３Ｂによりｐ偏光光に変換される。ｐ偏光光に変換されたＢ光は、ガラス板１２４Ｂ及び第１偏光板１２１Ｂをそのまま透過し、液晶パネル１２０Ｂに入射する。液晶パネル１２０Ｂに入射したｐ偏光光は、画像信号に応じた変調により、Ｂ光がｓ偏光光に変換される。液晶パネル１２０Ｂの変調により、ｓ偏光光に変換されたＢ光が、第２偏光板１２２Ｂから射出される。第３色光用空間光変調装置１１０Ｂで変調されたＢ光は、色合成光学系であるクロスダイクロイックプリズム１１２に入射する。このように、色分離光学系を構成するＲ光透過ダイクロイックミラー１０６ＲとＢ光透過ダイクロイックミラー１０６Ｇとは、超高圧水銀ランプ１０１から供給される光を、第１色光であるＲ光と、第２色光であるＧ光と、第３色光であるＢ光とに分離する。
【００２８】
色合成光学系であるクロスダイクロイックプリズム１１２は、２つのダイクロイック膜１１２ａ、１１２ｂをＸ字型に直交して配置して構成されている。ダイクロイック膜１１２ａは、Ｂ光を反射し、Ｒ光、Ｇ光を透過する。ダイクロイック膜１１２ｂは、Ｒ光を反射し、Ｂ光、Ｇ光を透過する。このように、クロスダイクロイックプリズム１１２は、第１色光用空間光変調装置１１０Ｒ、第２色光用空間光変調装置１１０Ｇ、及び第３色光用空間光変調装置１１０Ｂでそれぞれ変調されたＲ光、Ｇ光及びＢ光を合成する。投写レンズ１１４は、クロスダイクロイックプリズム１１２で合成された光をスクリーン１１６に投写する。これにより、スクリーン１１６上でフルカラー画像を得ることができる。
【００２９】
なお、上述のように、第１色光用空間光変調装置１１０Ｒ及び第３色光用空間光変調装置１１０Ｂからクロスダイクロイックプリズム１１２に入射される光は、ｓ偏光光となるように設定される。また、第２色光用空間光変調装置１１０Ｇからクロスダイクロイックプリズム１１２に入射される光は、ｐ偏光光となるように設定される。このようにクロスダイクロイックプリズム１１２に入射される光の偏光方向を異ならせることで、クロスダイクロイックプリズム１１２において各色光用空間光変調装置から射出される光を有効に合成できる。ダイクロイック膜１１２ａ、１１２ｂは、通常、ｓ偏光光の反射特性に優れる。このため、ダイクロイック膜１１２ａ、１１２ｂで反射されるＲ光及びＢ光をｓ偏光光とし、ダイクロイック膜１１２ａ、１１２ｂを透過するＧ光をｐ偏光光としている。
【００３０】
（液晶パネルの構成）
次に、図２を用いて液晶パネルの詳細について説明する。図１で説明したプロジェクタ１００では、３つの液晶パネル１２０Ｒ、１２０Ｇ、１２０Ｂを備えている。これら３つの液晶パネル１２０Ｒ、１２０Ｇ、１２０Ｂは変調する光の波長領域が異なるだけであり、基本的構成は同一である。このため、液晶パネル１２０Ｒを代表例にして以後の説明を行う。
【００３１】
図２は液晶パネル１２０Ｒの斜視断面図である。超高圧水銀ランプ１０１からのＲ光は、図２の下側から液晶パネル１２０Ｒに入射し、上側からスクリーン１１６の方向へ射出する。入射側防塵透明プレート２０１の内側には、透明電極等を有する対向基板２０２が形成されている。また、射出側防塵透明プレート２０６の内側にはＴＦＴ（薄膜トランジスタ）や透明電極等を有するＴＦＴ基板２０５が形成されている。そして、対向基板２０２とＴＦＴ基板２０５とを対向させて、入射側防塵透明プレート２０１と射出側防塵透明プレート２０６とを貼り合わせる。対向基板２０２とＴＦＴ基板２０５との間には、画像表示のための液晶層２０４が封入されている。また、液晶層２０４の入射光側には遮光のためのブラックマトリックス形成層２０３が設けられている。
【００３２】
射出側防塵透明プレート２０６の射出側表面には複数のプリズム素子２１１からなるプリズム群２１０が形成されている。プリズム群２１０の構成及び作用の詳細については後述する。なお、図１で示した構成では、第１偏光板１２１Ｒ、第２偏光板１２２Ｒを、液晶パネル１２０Ｒに対して別体に設けている。しかし、これに代えて、入射側防塵用透明プレート２０１と対向基板２０２との間、射出側防塵透明プレート２０６とＴＦＴ基板２０５との間などにも偏光板を設けることもできる。さらに、プリズム群２１０は、第２偏光板１２２Ｒに形成すること、又はクロスダイクロイックプリズム１１２のＲ光の入射面に形成することの何れでもよい。
【００３３】
（画素部に対応する開口部の構成）
図３は、ブラックマトリックス形成層２０３の平面図である。遮光部であるブラックマトリックス部２２０は、超高圧水銀ランプ１０１から入射したＲ光を遮光することにより、スクリーン１１６側へ射出しない。ブラックマトリックス部２２０は、所定幅Ｗ１、Ｗ２を有し、直交する方向に格子状に形成されている。また、ブラックマトリックス部２２０に囲まれている矩形状の領域は開口部２３０を形成する。開口部２３０は、超高圧水銀ランプ１０１からのＲ光を通過させる。開口部２３０を透過するＲ光は、図２に示したように対向基板２０２と、液晶層２０４と、ＴＦＴ基板２０５とを透過する。そして、Ｒ光は画像信号に応じて液晶層２０４において偏光成分が変調される。このように、投写された画像における画素部を形成するのは、開口部２３０と、液晶層２０４と、ＴＦＴ基板２０５とを透過して変調を受けた光である。この光は、開口部２３０を透過する光であるので、開口部２３０の位置、大きさと、画素部の位置、大きさとはそれぞれ対応している。また、帯状のブラックマトリックス部２２０の中心線ＣＬを一点鎖線で示す。以下、説明の便宜のため、中心線ＣＬで囲まれた図中太線で示す領域を周期領域２４０という。図からも明らかなように、隣接する周期領域２４０は、隙間なく周期的に繰り返して配列している。
【００３４】
（開口部の投写像）
図４は、従来技術のプロジェクタによりスクリーン１１６に投写された画像を拡大して示すものである。帯状のブラックマトリックス部像２２０に囲まれて開口部像２３０Ｐが投写されている。また、周期領域２４０に対応して、図４において太線で囲まれている周期領域像２４０Ｐが投写される。さらに、中心線像ＣＬＰどうしが交わる位置を交点ＣＰとする。なお、本実施形態を含めて以下全ての実施形態の説明において、投写レンズ１１４によりスクリーン１１６に投写された像を用いて説明する。ここで、第１光用空間光変調装置１１０Ｒ自体を取り出して考えた場合は、投写レンズ１１４は介在しない。この場合は、屈折部であるプリズム群２１０から所定距離だけ離れた仮想的な投影面に投影された投影像として扱うことができる。プロジェクタ１００による投写像と、第１色光用空間光変調装置１１０Ｒ単体による投影像とは、像倍率が異なるだけで実質的に同一のものである。このため、以下、スクリーン１１６に投写された投写像を例に説明を行う。
【００３５】
（プリズム群と開口部との位置関係）
図５は、ブラックマトリックス形成層２０３と、屈折部であるプリズム群２１０との関係を示す断面図である。ここで、理解を容易にするため、ブラックマトリックス形成層２０３と、プリズム群２１０とを除く他の構成部の図示を省略する。一の画素部に対応する開口部２３０を透過したＲ光は、円錐形状の発散光となって進行する。そして、このＲ光は、プリズム群２１０のうち、少なくとも一部のプリズム群２１０に入射する。プリズム群２１０は、少なくとも屈折面２１２と、平坦部２１３とを備えるプリズム素子２１１から構成されている。平坦部２１３は、画素部に対応する開口部２３０が形成されている面２３０ａに略平行な面である。複数のプリズム素子２１１が一定周期で規則的に配列されてプリズム群２１０を構成する。
【００３６】
（屈折角度、屈折方向の説明）
次に、上記構成により、開口部２３０を透過した光が、屈折される角度量について図６（ａ）を参照して説明する。図６（ａ）は、屈折部であるプリズム群２１０近傍を拡大して示す図である。プリズム群２１０とスクリーン１１６との間の媒質（例えば空気）は屈折率ｎ１、プリズム群２１０を構成する部材は屈折率ｎ２を有する場合を考える。また、屈折面２１２は、平坦部２１３を延長した基準面２１３ａに対して角度θとなるように形成されている。以下、角度θを傾斜角度という。
【００３７】
簡単のため、開口部２３０からの光のうち平行光について説明する。平坦部２１３に入射する光線は、平坦部２１３に対して垂直に入射する。このため、平坦部２１３で屈折作用を受けることなく、そのまま直進してスクリーン１１６上に投写像を形成する。これに対して、屈折面２１２に入射した光は、以下に示す条件式を満足するように屈折される。
【００３８】
ｎ１・ｓｉｎβ＝ｎ２・ｓｉｎα
ここで、角度αは屈折面２１２の法線Ｎを基準とする入射角度、角度βは射出角度である。
【００３９】
また、プリズム群２１０と距離Ｌだけ離れたスクリーン１１６において、直進した光の位置と屈折された光の位置と距離Ｓは、次式で表される。
【００４０】
Ｓ＝Ｌ×ｔａｎ（Δβ）
Δβ＝β−α
このように、屈折面２１２のプリズム傾斜角度θを制御することで、スクリーン１１６における開口部像２３０Ｐの移動量である距離Ｓを任意に設定することができる。
【００４１】
さらに、図６（ａ）から明らかなように、光線ＬＬ２が屈折される方向は屈折面２１２の向きに依存している。換言すると、開口部２３０に対して屈折面２１２の向きを制御することで、スクリーン１１６において開口部像２３０Ｐを形成する方向を任意に設定できる。
【００４２】
（投写像の内容）
上述した構成の液晶パネル１２０Ｒを用いた場合に、スクリーン１１６に投写されるＲ光による投写像について図７（ａ）〜（ｄ）を参照して説明する。図７（ａ）は、スクリーン１１６における一つの周期領域像２４０Ｐを示す。プリズム素子２１１の平坦部２１３に略垂直入射した光は、平坦部２１３で屈折作用を受けずに直進する。直進した光は、スクリーン１１６で、周期領域２４０Ｐの中央部に開口部像（直接透過像）２３０Ｐを形成する。
【００４３】
次に、図６（ｂ）と図７とを参照して、屈折面と屈折方向との関係を説明する。図６（ｂ）は、プリズム素子２１１の上面図である。プリズム素子２１１の屈折面２１２ａに入射した光を考える。屈折面２１２ａに入射した光は、屈折面２１２ａの向き、傾斜角度θ、面積Ｐ１にそれぞれ対応した屈折方向、屈折量、屈折光量でもって屈折作用を受ける。上述のように、プリズム素子２１１の辺部２１１ａに沿った方向とブラックマトリックス形成層２０３の中心線ＣＬ（図３）の方向が略４５°をなすように構成されている。このため、例えば、屈折面２１２ａで屈折された光は、図７（ａ）で示すように、開口部像（直接透過像）２３０Ｐから矢印方向に上述した距離Ｓだけ離れた位置に開口部像２３０Ｐａを形成する。なお、以下全ての説明において簡単のために、投写レンズ１１４の結像作用による像の上下左右の反転は無いものとする。また、観察者は常に光源部である超高圧水銀ランプ１０１を見る方向から観察するものとする。例えば、スクリーン１１６に投写された画像も、スクリーン１１６の背面側から超高圧水銀ランプ１０１を見る方向（光が向かって来る方向）から観察するものとする。
【００４４】
同様に、屈折面２１２ｂで屈折された光は、図７（ｂ）で示す位置に開口部像２３０Ｐｂを形成する。屈折面２１２ｃで屈折された光は、図７（ｃ）で示す位置に開口部像２３０Ｐｃを形成する。屈折面２１２ｄで屈折された光は、図８（ｄ）で示す位置に開口部像２３０Ｐｄを形成する。図７（ａ）〜（ｄ）は、同一の周領域像２４０Ｐについて、各開口部像２３０Ｐａ、２３０Ｐｂ、２３０Ｐｃ、２３０Ｐｄを分けて説明したものである。
【００４５】
（プリズム形状のバリエーション）
図８（ａ）〜（ｄ）は、プリズム素子の形状の様々なバリエーションの例を示す図である。例えば、図８（ａ）は、屈折面８１０ａと平坦部８１０ｂとを有する台形型のプリズム群８１０を示す。図８（ｂ）は、屈折面８２０ａと平坦部８２０ｂとを有する三形型のプリズム群８２０を示す。図８（ｃ）は、屈折面８３０ａと平坦部８３０ｂとを有する三形型のプリズム群８３０を示す。図８（ｄ）は、屈折面８４０ａのみからなるブレーズ型のプリズム群８４０を示す。このように、屈折面の向き、傾斜角度、面積をパラメータとして様々なバリエーションをとることができる。
【００４６】
以上説明したように、本実施形態では、屈折面２１２ａ、２１２ｂ、２１２ｃ、２１２ｄにより屈折光を生じさせることで、帯状のブラックマトリックス部像２２０を認識することがない。次に、図９に基づいて、本実施形態において回折光を低減させる構成について説明する。なお、図９においては、説明を簡便にするため、図８（ｂ）で示したバリエーションの形状を用いる。
【００４７】
図９では、２つの屈折面９２０ａが周期的なＶ字形状の溝を形成している。屈折面９２０ａと光軸ＡＸとの交点で平坦部９２０ｂから最も離れた位置において光軸ＡＸに略垂直方向に形成される基準面９０１と、平坦部９２０ｂとは距離ｄだけ離れている。距離ｄはＶ字形状の溝の深さに対応する。以下、適宜、距離ｄのことを深さｄと呼ぶ。そして、距離ｄは、以下の条件式（１）又は（２）を満足している。
（１）  ｄ＜０．９５×λ／（２×（ｎ−１））
（２）  ｄ＞１．０５×λ／（２×（ｎ−１））
【００４８】
ここで、プリズム群９２０を構成する部材の屈折率をｎ、プリズム群９２０へ入射する光の波長をλとそれぞれする。本実施形態では、距離ｄ（深さ）を１１００ｎｍとしている。Ｖ字形状の溝の深さが以下の条件式（Ａ）、
（Ａ）  ｄ＝λ／（２×（ｎ−１））
の条件を満足すると、回折効率が向上してしまう。
【００４９】
本実施形態では、入射光として超高圧水銀ランプ１０１からの光のうち可視光領域の光を用いる。例えば、入射光の波長λ＝４８０ｎｍ、プリズム群９２０の屈折率ｎ＝１．４６の場合、条件式（Ａ）は、
2005037503.tif 000003
となる。
【００５０】
同様に、入射光の波長λ＝６５０ｎｍ、プリズム群１６２０の屈折率ｎ＝１．４６の場合、条件式（Ａ）は、
2005037503.tif 000004
となる。
【００５１】
このように，入射光の波長λが４８０ｎｍの場合、Ｖ字形状の溝の深さｄが５２２ｎｍの時に効率良く回折光を生じてしまう。また、入射光の波長λが６５０ｎｍの場合、Ｖ字形状の溝の深さｄが７０７ｎｍの時に効率良く回折光を生じてしまう。これに対して、本実施形態では、Ｖ字溝の深さｄが回折光を生じさせないこと、又は回折光が生じても観察者が認識しない程度であることが望ましい。
【００５２】
このため、本実施形態では、条件式（１）又は（２）を満足することで、条件式（Ａ）で規定される距離ｄ（深さ）と異ならせることができる。例えば、本実施形態において、波長λ＝４８０ｎｍの場合、
2005037503.tif 000005
となる。
【００５３】
さらに、波長λ＝６５０ｎｍで、同様の計算を行うと、
2005037503.tif 000006
となる。
【００５４】
本実施形態では、上述のように深さｄ＝１１００ｎｍとしている。これにより、何れの波長λにおいても条件式（２）を満足するため、観察者は、回折光が低減された品質の良い画像を観察できる。従って、本実施形態によれば、観察者はブラックマトリックス等の遮光部の像を認識することなく、高品質でスムーズな画質を観察できる。
【００５５】
本実施形態において、好ましくは、以下の条件式（３）又は（４）を満足することが望ましい。
（３）  ｄ＜０．９×λ／（２×（ｎ−１））
（４）  ｄ＞１．１×λ／（２×（ｎ−１））
さらに好ましくは、以下の条件式（５）又は（６）を満足することが望ましい。
（５）  ｄ＜０．７×λ／（２×（ｎ−１））
（６）  ｄ＞１．３×λ／（２×（ｎ−１））
上記条件式（３）〜（６）のいずれかを満足することで、プリズム群９２０からの回折光の強度をさらに小さくすることができる。これにより、さらに高品質な画像を得ることができる。
【００５６】
（第２実施形態）
図１０は、本発明の第２実施形態に係る空間光変調装置のプリズム群１０２０の断面構成を示す。プリズム群１０２０以外の構成は上記第１実施形態と同様であるため図示と重複する説明を省略する。本実施形態では、光軸ＡＸに対し略垂直でありプリズム群１０２０が形成されている基板の一方の面である基準面１００１から平坦部１０２０ｂまでの距離ｄ１、ｄ３、ｄ５と、基準面１００１から屈折面１０２０ａ上の所定位置までの距離ｄ２、ｄ４、ｄ６と、がそれぞれ非周期的となるように形成されている。ここで、屈折面１０２０ａ上の所定位置とは、屈折面１０２０ａの最も基準面１００１に近い位置をいう。
【００５７】
プリズム群１０２０により回折光が生ずる構造の一つとして、プリズム素子の周期的な構造を挙げることができる。本実施形態では上述の非周期的な構成により、プリズム素子の周期的構造に起因する回折光の発生を低減することができる。この結果、観察者は、ブラックマトリックス等の遮光部の像を認識することなく、高品質でスムーズな画質を観察できる。
【００５８】
（第３実施形態）
図１１（ａ）は、本発明の第３実施形態に係る空間光変調装置の液晶パネル１１００Ｒの斜視構成を示す。基本的な構成は、上記第１実施形態と同一であるため、同一部分には同一符号を付し、重複する説明を省略する。また、Ｒ光用、Ｇ光用、Ｂ光用の３つの液晶パネルのうち、Ｒ光用の液晶パネル１１００Ｒを代表例にして以後の説明を行う。
【００５９】
本実施形態において、プリズム群１１１０のプリズム素子１１１１は、略直線Ｌａ１、Ｌａ２、Ｌａ３、Ｌａ４、Ｌａ５の形状に沿って配列されている。そして、略直線Ｌａ１、Ｌａ２、Ｌａ３、Ｌａ４、Ｌａ５の数が単位面積ａφあたりに５本である。なお、略直線Ｌａ１、Ｌａ２、Ｌａ３、Ｌａ４、Ｌａ５の数は、単位面積あたり１５本以下であれば良い。単位面積ａφの説明は、後述する。
【００６０】
図１１（ｂ）は、単位面積ａφ近傍の正面図である。略直線Ｌａ１、Ｌａ２、Ｌａ３、Ｌａ４、Ｌａ５に略直交して、略直線Ｌｂ１、Ｌｂ２、Ｌｂ３、Ｌｂ４、Ｌｂ５、Ｌｂ６の６つの直線が形成されている。直線Ｌｂ１、Ｌｂ２、Ｌｂ３、Ｌｂ４、Ｌｂ５、Ｌｂ６についても、単位面積あたり１５本以下であれば良い。このように、プリズム群１１１０のプリズム素子１１１１は、略直交する格子状に形成されている。
【００６１】
図１２は、単位面積ａφを説明するための超高圧水銀ランプ１０１からスクリーン１１６までの光路を示す。なお、図１２では、説明の簡便のため、光学系としては、照明系ＩＬＬを構成する超高圧水銀ランプ１０１とインテグレータ１０４、及び投射系ＰＬを構成する投写レンズ１１４のみを示し、他の色分解光学系などの図示を省略する。また、便宜上、投写レンズ１１４は、両凸形状の単レンズとして示している。このため、図１２において、投写レンズ１１４と投写系ＰＬとは一致している。
【００６２】
光源１０１からの照明光はインテグレータ１０４に入射する。インテグレータ１０４は、光源１０１からの照明光を重畳させて液晶パネル１１００Ｒを照明する。インテグレータ１０４からの照明光は、所定の角度分布をもって液晶パネル１１００Ｒに入射する。液晶パネル１１００Ｒ上の位置ＯＢＪは、様々な入射角度の光により重畳的に照明される。そして、位置ＯＢＪからの光は、照明系ＩＬＬのＦナンバーで空間的に拡がりながらプリズム群１１１０に入射する。液晶パネル１１００Ｒを射出した光は、プリズム群１１１０を透過して投写レンズ１１４へ入射する。液晶パネル１１００Ｒの変調面とスクリーン１１６とは共役関係にある。このため、液晶パネル１１００Ｒ上の位置ＯＢＪは、スクリーン１１６上の位置ＩＭＧに結像する。このとき、液晶パネル１１００Ｒ上の位置ＯＢＪからの光は、投写レンズ１１４のＦナンンバーと同一、又は小さいＦナンバーの光が、投写レンズ１１４によりスクリーン１１６に投写される。照明系ＩＬＬのＦナンバーと投写系ＰＬのＦナンバーとは、以下の３とおりの関係（Ｂ）、（Ｃ）、（Ｄ）が考えられる。
（Ｂ）  照明系ＩＬＬのＦナンバー＞投写系ＰＬのＦナンバー
（Ｃ）  照明系ＩＬＬのＦナンバー＝投写系ＰＬのＦナンバー
（Ｄ）  照明系ＩＬＬのＦナンバー＜投写系ＰＬのＦナンバー
【００６３】
何れの関係においても、液晶パネル１１００Ｒ上で、照明系ＩＬＬ又は投写系ＰＪの小さいほうのＦナンバーで規定される角度範囲の光だけが有効にスクリーン１１６に投写される。例えば、関係（Ｂ）又は（Ｃ）の場合、次式が成立する。
１／（２ＦＩＬＬ）＝ｓｉｎθａ
ここで、ＦＩＬＬは投写系ＰＬのＦナンバー、θａは位置ＯＢＪから射出した光の光軸とのなす角度、である。
【００６４】
液晶パネル１１００Ｒから空間的な拡がり角度θａで射出した光は、プリズム群１１１０上の円形領域である単位面積ａφを照射する。このように、プリズム群１１１０上の単位面積ａφのからの光は、全て投写レンズ１１４でスクリーン１１６に投写される。また、これに対して、上記関係式（Ｄ）の場合、照明系ＩＬＬのＦナンバーでスクリーン１１６に有効に投写されるプリズム群１１１０上の単位面積ａφが規定される。
【００６５】
従って、何れの関係（Ｂ）、（Ｃ）、（Ｄ）においても、プリズム群１１１０上の単位面積ａφからの光は、投写レンズ１１４により有効にスクリーン１１６に投写される。上述したように、プリズム群１１１０により回折光が生ずる構造の一つとして、プリズム素子の配列の周期的な構造を挙げることができる。本実施形態では、プリズム群１１１０が単位面積ａφあたりに略直線Ｌａ１〜Ｌａ５、Ｌｂ１〜Ｌｂ６の形状に沿って配列されている。このため、略直線の数が単位面積ａφあたりに１５本以下である。これにより、プリズム素子の配列の周期的構造に起因する回折光の発生を低減することができる。この結果、観察者は、ブラックマトリックス等の遮光部の像を認識することなく、高品質でスムーズな画質を観察できる。
【００６６】
さらに、単位面積ａφあたりの、所定の方向に屈折させる屈折面２１２の面積の総和、及び平坦部の面積の総和は、何れの単位面積においても同一の値である。これにより、投写される画像は回折光が低減され、かつ、プリズム群１１１０から所定距離だけ離れたスクリーン１１６において、ブラックマトリクス部２２０の投影像の領域に重畳的に画素部の投影像が形成される。従って、スクリーン１１６において、観察者がブラックマトリックス部２２０を認識することなく、スムーズでざらつき感の低減された画像を観察できる。
【００６７】
また、本実施形態で好ましくは、略直線の数が単位面積ａφあたりに１０〜１２本であることが望ましい。さらに好ましくは、略直線の数が単位面積ａφあたりに７〜９本であることが望ましい。これにより、プリズム素子の配列の周期的構造に起因する回折光の発生をさらに確実に低減することができる。
【００６８】
次に、図１３を用いて、プリズム群１３２０の深さ（距離）ｄのバリエーションを説明する。図１３（ａ）は、プリズム群１３２０を硝子で構成する場合の概略断面図である。この場合、深さｄ１＝約３０ｎｍ、基準面１００１に対する角度θ１＝約０．０６°である。また、図１３（ｂ）は、プリズム群１３２０をアクリル又はゼオネックス（商品名）で構成する場合の概略断面図である。プリズム群１３２０上には、さらに光学的に透明な樹脂基板１３３０とガラス基板１３４０とを形成する。この場合、深さｄ２＝約１μｍ、角度θ２＝約０．９７°である。このように、図１３（ａ）の構成に比較して、深さ、角度ともに大きくなるため、製造が容易となる。
【００６９】
（第４実施形態）
図１４は、本発明の第４実施形態に係る空間光変調装置のプリズム群１４１０の断面構成を示す。プリズム群１４１０以外の構成は上記第１実施形態と同様であるため図示と重複する説明を省略する。プリズム群１４１０は、３つのプリズム素子１４１１ａ、１４１１ｂ、１４１１ｃを交互に配列して光学的接着剤で固着して構成されている。図１４（ｂ）、（ｄ）に示すように、プリズム素子１４１１ａ、１４１１ｃは、互いに屈折面１４１２ａ、１４１２ｃの傾斜する方向が反対に形成されている帯状のプリズム素子である。また、プリズム素子１４１１ｂは、平坦部１４１２ｂが形成されている平行平板である。そして、プリズム素子１４１１ａ、１４１１ｂ、１４１１ｃを一組として、複数の組を配列してプリズム群１４１０を構成する。さらに、プリズム群１４１０を略直交する２方向に重ねて設ける。これにより、平坦部１４１１ｂと、略直交する２方向に屈折させる屈折面１４１１ａ、１４１１ｃとを有するプリズム群と同様の機能を有する。
【００７０】
本実施形態では、略平板状のプリズム素子１４１１ａ、１４１１ｂ、１４１１ｃを製造すれば良い。このため、極めて簡便にプリズム群１４１０を製造することができる。また、単位面積ａφあたりに、プリズム素子１４１１ａ、１４１１ｂ、１４１１ｃを１５本以下配列することで、回折光を低減できる。
【００７１】
（第５実施形態）
図１５（ａ）は、本発明の第５実施形態に係る空間光変調装置のプリズム群１５１０の正面構成を示す。プリズム群１５１０以外の構成は上記第１実施形態と同様であるため図示と重複する説明を省略する。プリズム素子１５１１ａ、１５１１ｂ、１５１１ｃは、位置、深さ、がそれぞれ非周期（ランダム）に単位面積ａφ内に配列されている。また、単位面積ａφあたりの、所定の方向に屈折させる屈折面２１２の面積の総和、及び平坦部２１３の面積の総和は、何れの単位面積ａφにおいても同一の値である。
【００７２】
図１５（ｂ）は、本実施形態のプリズム群１５１０の製造方法を示す。端部が四角錘形状をした型１５３０を不図示のピエゾアクチュエータ等でアクリル製の基板１５２０に押圧する。型１５３０を基板１５２０に押し付ける力により、形成されるプリズム素子の深さを制御できる。また、型１５３０を基板１５２０に押し付ける方向により，屈折面２１２の向きを制御できる。本製造方法により、プリズム素子の位置、深さ、向きを容易に制御できる。本製造方法により製造されたプリズム群１５１０により、投写される画像は回折光が低減され、かつ、プリズム群１５１０から所定距離だけ離れたスクリーン１１６において、ブラックマトリクス部２２０の投影像の領域に重畳的に画素部の投影像が形成される。従って、スクリーン１１６において、観察者がブラックマトリックス部２２０を認識することなく、スムーズでざらつき感の低減された画像を観察できる。
【００７３】
なお、本発明は、上記第１〜第５実施形態で述べたような構成に限られない。プリズム群が、回折光を生じさせない構成、又は回折光を生じていても観察者が認識しない構成は、第１〜第５実施形態の構成を任意に組み合わせる構成でも良い。
【図面の簡単な説明】
【図１】本発明の第１実施形態に係るプロジェクタの概略構成図。
【図２】第１実施形態の液晶パネルの概略構成図。
【図３】第１実施形態のブラックマトリックス部の概略図。
【図４】第１実施形態のブラックマトリックス部像の概略図。
【図５】第１実施形態の液晶パネルの断面図。
【図６】（ａ）は第１実施形態のプリズム素子おける屈折を説明する図、（ｂ）はプリズム素子の上面図。
【図７】第１実施形態の投写像を説明する図。
【図８】プリズム群のバリエーションの断面構成図。
【図９】第１実施形態のプリズム群の断面構成図。
【図１０】第２実施形態のプリズム群の断面構成図。
【図１１】第３実施形態のプリズム群の説明図。
【図１２】第３実施形態の単位面積の説明図。
【図１３】プリズム群のバリエーションの断面構成図。
【図１４】第４実施形態のプリズム群の説明図。
【図１５】第５実施形態のプリズム群の説明図。
【符号の説明】
１００  プロジェクタ、１０１  超高圧水銀ランプ、１０４  インテグレータ、１０５  偏光変換素子、１０６Ｒ  Ｒ光透過ダイクロイックミラー、１０６Ｇ  Ｂ光透過ダイクロイックミラー、１０７  反射ミラー、１０８  リレーレンズ、１１０Ｒ  第１色光用空間光変調装置、１１０Ｇ  第２色光用空間光変調装置、１１０Ｂ  第３色光用空間光変調装置、１１２  クロスダイクロイックプリズム、１１２ａ、１１２ｂ  ダイクロイック膜、１１４  投写レンズ、１１６  スクリーン、１２０Ｒ、１２０Ｇ、１２０Ｂ  液晶パネル、１２１Ｒ、１２１Ｇ、１２１Ｂ  第１偏光板、１２３Ｒ、１２３Ｂ  λ／２位相差板、１２４Ｒ、１２４Ｂ  ガラス板、２０１  入射側防塵透明プレート、２０２  対向基板、２０３  ブラックマトリックス形成層、２０４  液晶層、２０５  ＴＦＴ基板、２０６  射出側防塵透明プレート、２１０  プリズム群、２１１  プリズム素子、２１１ａ  辺部、２１２  屈折面、２１２ａ、２１２ｂ、２１２ｃ、２１２ｄ  屈折面、２１３  平坦部、２２０  ブラックマトリックス部、２２０Ｐ  ブラックマトリックス部像、２３０  開口部、２３０Ｐ  開口部像、２３０Ｐａ、２３０Ｐｂ、２３０Ｐｃ、２３０Ｐｄ  開口部像、２４０ａ      面、２４０  周期領域、２４０Ｐ  周期領域像、９２０  プリズム群、９２０ａ  屈折面、９２０ｂ  平坦部、９０１  基準面、１００１  基準面、１０２０  プリズム群、１０２０ａ  屈折面、１０２０ｂ  平坦部、１１００Ｒ  液晶パネル、１１１０  プリズム群、１１１１  プリズム素子、１３２０  プリズム群、１３３０  樹脂基板、１３４０  硝子基板、１４１０  プリズム群、１４１１ａ、１４１１ｂ、１４１１ｃプリズム素子、１４１２ａ、１４１２ｃ  屈折面、１４１２ｂ  平坦部、１５１０  プリズム群、１５１１ａ、１５１１ｂ、１５１１ｃ  プリズム素子、１５２０  基板、１５３０  型、ａφ  単位面積
【図１】
2005037503.tif 000007
【図２】
2005037503.tif 000008
【図３】
2005037503.tif 000009
【図４】
2005037503.tif 000010
【図５】
2005037503.tif 000011
【図６】
2005037503.tif 000012
【図７】
2005037503.tif 000013
【図８】
2005037503.tif 000014
【図９】
2005037503.tif 000015
【図１０】
2005037503.tif 000016
【図１１】
2005037503.tif 000017
【図１２】
2005037503.tif 000018
【図１３】
2005037503.tif 000019
【図１４】
2005037503.tif 000020
【図１５】
2005037503.tif 000021